(57)【要約】【課題】パチンコやパチスロのような遊技機に好適な遊技機用灰皿において、喫煙する遊技者の煙草と、その隣で遊戯する者の手とを仕切ることができるようにして、喫煙者の隣で遊技する者の安全性や快適さを得られるようにすること。【解決手段】遊技ユニット２３の近傍に設けられる筐体３１に、筐体３１に対して出し入れ可能で煙草を受ける皿部材４１と、該皿部材４１より下方において落下物を受け入れる集積ケース５１とを有した遊技機用灰皿１１であって、上記筐体３１が、横幅よりも高さのほうが高い板状で台間機２１に収まる大きさに形成されるとともに、遊技ユニット２３の前面から引き出し可能に取付けられ、該筐体３１の側面に、筐体３１を引き出した時に出すことができる上記皿部材４１が設けられた遊技機用灰皿１１。【選択図】図１
2007330502.tif 000002
【特許請求の範囲】
【請求項１】
遊技ユニットの近傍に設けられる筐体に、筐体に対して出し入れ可能で煙草を受ける皿部と、該皿部より下方において落下物を受け入れる受け入れ部とを有した遊技機用灰皿であって、
上記筐体が、横幅よりも高さのほうが高い板状に形成されるとともに、
該筐体の側面に上記皿部が設けられた
遊技機用灰皿。
【請求項２】
前記筐体が、遊技ユニットの前面から引き出し可能に設けられる
請求項１に記載の遊技機用灰皿。
【請求項３】
前記筐体が、台間機に設けられた
請求項１または請求項２に記載の遊技機用灰皿。
【請求項４】
前記皿部の底に、皿部を筐体に収めた時に下方に回動し、受け入れ部の上方空間を開放する可動板が形成された
請求項１から請求項３のうちのいずれか一項に記載の遊技機用灰皿。
【請求項５】
前記皿部に、筐体に対して枢着する枢着部が設けられ、
皿部の底における上記枢着部より先端側に、皿部を筐体に収めたときに下方へ回動して受け入れ部の上方空間を開放するとともに、皿部を出したときに受け入れ部の上方空間を閉塞する蓋板が形成された
請求項１から請求項３のうちのいずれか一項に記載の遊技機用灰皿。
【請求項６】
前記受け入れ部が、落下物を集積する集積部であり、筐体から引き出し可能に設けられた
請求項１から請求項５のうちのいずれか一項に記載の遊技機用灰皿。
【発明の詳細な説明】
【技術分野】
【０００１】
この発明は、たとえばパチンコやパチスロのような遊技機に好適な遊技機用灰皿に関する。
【背景技術】
【０００２】
遊技機用灰皿としては、たとえば遊技台の出玉受けの横に備えられたものが古くからある。
【０００３】
しかし、このタイプの灰皿では、遊技者の遊技の邪魔になるので大きくすることができない。また、灰皿の清掃に際しても遊技者の邪魔になるほか、掃除する店員にも手間である。このため、下記特許文献１のように、遊技者の邪魔にならないで大きな収容力を有し、また灰皿内の臭いが出ないように密閉性を持つ灰皿が提案されている。すなわち、この灰皿は、遊技台の手前側に張り出している天板の下側に固定して使用するもので、天板に対して固定するための欠損部分が上部に形成された箱状の本体の前面に、煙草を受ける煙草受け台が設けられている。この煙草受け台は、一端部が本体に枢着された構造であり、煙草受け台を手前側に引いて回転させれば、煙草受け台が開いて使用可能となり、煙草受け台を引き上げて奥に向けて倒せば、煙草受け台が閉じて密閉性を得られるというものである。また、天板の下側に取付けられるので、大容量の本体が得られる。
【０００４】
しかし、このような構成の灰皿では、遊技者の邪魔にならず、収容量が多いとはいうものの、喫煙する遊技者と店側の利点が考慮されているだけである。
【０００５】
このほかにも、たとえば特許文献２のように、島に備えられた吸殻処理装置もある。この吸殻処理装置は、天板の上面に設けられた煙草受けの下に連通穴が設けられ、煙草の煙が吸引されるとともに、連通穴を通って落下する吸殻等が順次搬送されて処理されるというものである。しかし、このような構成の装置であっても、煙の拡散を抑制できるという効果をえられるものの、喫煙する遊技者と店側の利点が考慮されているだけであって、喫煙する遊技者の隣で遊戯する者のことは、ほとんど考慮されていない。
【０００６】
つまり、様々な遊技機用灰皿が提案されているが、喫煙する遊技者の隣で遊戯する者に対してされる考慮は、煙の拡散程度のことであり、隣で遊戯する者の手元の安全性や感情に配慮した灰皿は存在しなかった。
【特許文献１】特開平９−１８２５７９号公報
【特許文献２】特開平６−１８２０５２号公報
【発明の開示】
【発明が解決しようとする課題】
【０００７】
そこで、この発明は、喫煙する遊戯者や店側の都合のほか、喫煙する遊技者の隣で遊戯する者のことも考慮して、安全、快適な遊技場空間を得られるようにすることを主たる課題とする。
【課題を解決するための手段】
【０００８】
そのための手段は、遊技ユニットの近傍に設けられる筐体に、筐体に対して出し入れ可能で煙草を受ける皿部と、該皿部より下方において落下物を受け入れる受け入れ部とを有した遊技機用灰皿であって、上記筐体が、横幅よりも高さのほうが高い板状に形成されるとともに、該筐体の側面に上記皿部が設けられた遊技機用灰皿である。
【０００９】
この遊技機用灰皿は、遊技ユニットの近傍に設置されたり、遊技ユニットの前面から引き出し可能に設けられたり、遊技ユニットを構成する台間機に、又は台間機として組み込まれたりして使用される。
【００１０】
使用時において、皿部は煙草を受け、消火に寄与し、受け入れ部が吸殻等の落下物を集積したり、次段の処理部に移送したりして適宜処理する。そして、筐体は縦に長い板状であって、その側面に、出し入れ可能な皿部が設けられているので、筐体はひとつの壁として作用する。
【００１１】
すなわち、皿部に置かれた煙草と、隣の遊技者は、筐体によって仕切られ、隣の遊技者からは煙草を見ることもできない状態となる。
【発明の効果】
【００１２】
以上のように、この発明によれば、喫煙する遊技者の煙草と隣の遊技者は、板状の筐体によって仕切られ、隣の遊技者から見れば、筐体が壁となって存在し、ハンドルを握る手元が煙草の火からか守られる。この結果、隣の遊技者は手元に煙草の火が近づくおそれのない情況のもと、集中して遊戯することができる。また、筐体の存在により煙草も見えない状態であるので、立ち上る煙や煙草の存在によって不快な思いをすることも回避できる。
【００１３】
さらに、筐体は縦長の板状であって、たとえ数センチの薄さに形成されたものであっても、受け入れ部が吸殻等を集積するものである場合、その集積空間を広く取ることができる。このため、回収の頻度を減らすことができ、店側の手間を軽減し、また遊技者の邪魔にならないようにすることもできる。
【発明を実施するための最良の形態】
【００１４】
この発明を実施するための一形態を、以下図面を用いて説明する。  
図１、図２は、遊技機用灰皿１１（以下、「灰皿」という。）を組み込んだ台間機２１の要部を示す斜視図であり、これらの図に示すように、灰皿１１は台間機２１における下側部分に備えられている。
【００１５】
なお、台間機２１とは、周知の如く、玉貸し機などの必要な機器を備えたものであって、図３に示したようにパチンコやパチスロなどの遊技台２２とともに遊技ユニット２３を構成する。この台間機２１は、遊技台２２の隣に備えられ、一般に厚さは４cm幅の縦長板状に形成されている。また、台間機２１の配置については、隣り合う遊技台２２の間に１個の台間機を備えるもののほか、１個の台間機と１個の間柱を備えるもの、１個の台間機と２個の間柱を備えるもの、２個の台間機と１個の間柱を有するものなど様々である。ここで、間柱とは、主に柱もしくは仕切り、スペーサとしての機能のみを有するものであって、金銭処理や吸殻処理等の機能を有する機器が備えられた台間機と区別されたものである。
【００１６】
灰皿１１は、上述のように台間機２１における下側部分に備えられるが、その台間機は、既存のものであるも、灰皿のみを有する新たなものであるもよい。つまり、灰皿１１が備えられる台間機２１は、上側部分に玉貸し機などの金銭処理装置のような必要機器を備えたものであるも、他の機器を備えずに灰皿のみを備えたものであるも、いずれでもよい。このため、図面においては便宜上、上側部分を二点鎖線で表現している。なお、台間機２１は、一般に８１cm程に形成されているが、灰皿１１は、そのうちの半分、もしくはそれより若干小さい適宜の大きさに形成される。具体的には、遊技台におけるハンドル２２ａの高さよりも高い高さで、より好ましくは上側の出玉受け（上皿）２２ｂの高さと同じような高さに設定されるとよい（図６、図７参照）。
【００１７】
そして、このような台間機２１は、既存の台間機と差換えられたり、既存の台間機に組み込まれたりして使用される。
【００１８】
次に、灰皿１１の構成について説明する。
【００１９】
灰皿は、図２に示したように、その略全体が台間機２１内に収まるように横幅よりも高さのほうが高い板状をなし、台間機２１に対して出し入れ可能に取付けられている。出し入れの方式は、手前に真っ直ぐ引いたときに引き出せ、奥に向けて押したときに収納するものであって、図示はしないが、適宜のスライド構造と抜け止め構造とを備えている。
【００２０】
図１が灰皿１１を台間機２１から引き出した状態を示しており、この図に示すように、台間機２１に対して出し入れ可能な筐体３１と、この筐体３１における上部の一側面に備えられた皿部材４１と、筐体３１の前面における下側部分に引き出し可能に備えられた集積ケース５９とを有する。
【００２１】
筐体３１は、６面が囲まれた中空の箱状に形成され、上記一側面を形成する側板３２の上部に、図４にも示したように皿部材４１を回転可能に取付けるための窓部３２ａが形成されている。窓部３２ａは、方形状に形成され、筐体３１内における窓部３２ａの左右両側には、切欠部と同一または略同一の幅の連通口３３を残してその他の部位を閉塞する幅調整部３４が形成されている（図５参照）。
【００２２】
皿部材４１は、図１、図４に示したように、窓部３２ａの幅に対応する大きさで、略方形状の底板４２と、この底板４２における手前側と左右両側の三方に立設された縁部４３，４４とを有する。そして、底板４２の長さ方向の中間部に、枢着軸部４５が形成され、筐体３１に対して枢着されている。皿部材４１の大きさは、図５に仮想線で示したように筐体３１に対して収めた時に窓部３２ａを密閉できるように閉塞する大きさに設定され、筐体３１から出したときに、図４に示したように、枢着軸部４５より先端側の先端縁４２ａが、筐体３１の内壁面に当接して、上記連通口３３を密閉状態で閉塞できる大きさに設定されている。枢着軸部４５より先端側の部位は、底板に載せられた吸殻や灰などを落下させるスライダの役割を果たすとともに、上記のように連通口３３を閉塞する蓋の役割を果たす蓋部４２ｂである。
【００２３】
なお、蓋部４２ｂの先端縁４２ａと、底板４２における枢着軸部４５近傍の外側面には、ゴムなどからなるシール材４６，４７が取付けられ、皿部材４１を出したときの筐体３１内の密閉性を高めている。また、図中３５は、皿部材を出すときに利用される切欠部である。この切欠部３５の大きさは、上記縁部４３，４４のうち手前側に位置する縁部４４の大きさよりも小さく設定され、皿部材４１を筐体３１に収めたときに、筐体３１内の気密性が高くなるように構成されている。
【００２４】
筐体３１の前面における枢着軸部４５よりも下の位置には、上記集積ケース５１を出し入れする開口部３６が形成されている。
【００２５】
集積ケース５１は、筐体３１を台間機２１に対して出し入れするのと同様に引き出し可能なものであって、上面のみが開口した有底箱状に形成されている。また、集積ケース５１を筐体３１内に収めたときに、より高い気密性が得られるように寸法が設定されるとともに、集積ケース５１の上部には、筐体３１の前面に当接する当接片５２が形成され、必要に応じてパッキン等の部材が備えられる。図中３７は、集積ケース５１を引き出しやすくするために設けられた切欠部である。また、３８は筐体３１を引き出す時に使用するつまみ部である。
【００２６】
以上のように構成された灰皿１１付き台間機２１は、遊技ユニット２３を構成する構成部材の一つとして遊技台２２の間に組み込まれて使用される。図６、図７は、その使用状態を示す正面図である。図６は、３個の台間機または間柱を取付ける遊技ユニットにおける、遊技台２２側に灰皿１１付き台間機２１を組み込んだ例を示し、図７は、中間部位に灰皿１１付き台間機２１を組み込んだ例を示している。
【００２７】
このような灰皿１１付き台間機２１は、吸殻を処理する時には筐体３１を台間機２１から引き出して、その上で皿部材４１を引き倒すことによって出して、使用される。筐体３１を引き出すと、筐体３１は、喫煙する遊技者の遊技台２２と、その台間機２１側に位置する隣の遊技台２２との間に壁のように立ちふさがる。このため、喫煙する遊技者の煙草６１と、隣の遊技者の手６２との間が筐体３１で仕切られることになり、隣の遊技者は喫煙する遊技者の煙草６１が接触するのではないかというおそれのない情況下で安心して遊技することができる。
【００２８】
また、灰皿１１の皿部材４１は、筐体３１の側面に形成されているので、図６、図７に示したように、隣の遊技者からは煙草６１が見えない状態になって、上述のような安全面での安心感のほか、感情的にも不快な思いが軽減される。
【００２９】
そして、喫煙する遊技者は、皿部材４１で煙草１１の火を消した後は、皿部材４１を引き上げて倒し、窓部３２ａを閉じると、吸殻や灰などの落下物は、連通口３３を通って落下し、集積ケース５１に集積される。そして、窓部３２ａが閉じられると、筐体３１内は気密状態に閉じられるので、煙や臭いが出ることはない。
【００３０】
また、次の喫煙において、皿部材４１が再度引き倒されると、皿部材４１の蓋部４２ｂが連通口３３を閉じ、筐体３１内の気密状態を得られるので、集積ケース５１内に集積された煙草に消火不完全なものがあっても、消火に資することができる。また、中が見えず、煙も出ないので、灰皿１１の近傍に臭いや煙が出ないようにすることができ、ひいては遊技場空間の環境悪化を抑制することができる。
【００３１】
灰皿１１の清掃は、筐体３１を引き出してから集積ケース５１を外して行う。筐体３１は上述のように遊技台２２のハンドル２２ａの高さよりも高く形成されているので、縦長の形状をなし、大容量の集積空間を得られる。このため、清掃の時間的間隔を長く取ることができて、清掃の手間を軽減することもできる。
【００３２】
図８から図１０は、その他の例を示す。なお、先の例と同一の構成部位については、同一の符号を付してその説明を省略する。
【００３３】
図８は、皿部材４１を引き出し式に構成した例を示している。すなわち、皿部材４１は、上面が開口した有底箱状をなし、底板４２が別部材で構成され、この底板４２の手前側が枢着されている。この枢着は、皿部材４１を筐体３１内に収めた時に底板４２が下に垂れ、皿部材４１を筐体から引き出した時に底板４２が皿部材４１の底を塞ぐように行われる。
【００３４】
また、底板４２の先端縁を含む周縁には、下面側の方が尖るように傾斜面４３が形成され、この傾斜面４３に対向する部分にも、対応する傾斜を有した傾斜面４４が形成されている。このため、煙草６１のヤニが付着しても吸殻が詰まりにくく、吸殻等を円滑に落下させることができるという効果が得られる。
【００３５】
図９は、集積ケース５１の他の例を示す断面図である。この集積ケース５１は、吸殻等の回収の容易化を図ったものである。すなわち、集積ケース５１の底板５３が別部材で構成され、集積ケース５１の本体５４に対して枢着されている。枢着は、本体５１の奥側においてなされ、集積ケース５１を筐体３１から引き出した時に、底板５３が回動して底が開き、集積ケース５１を筐体３１内に収めた時に底が閉じるように構成されている。
【００３６】
集積ケース５１を備える筐体３１は、台間機２１から引き出されるものであるので、集積ケース５１は、台間機２１よりも手前側において引き出される。このため、遊技ユニット２３の手前側に位置する天板の下に、バケツ等の受けを用意して集積ケース５１を引き出すことによって吸殻等がバケツに落下するように設定することができる。このため、清掃作業の容易化を図ることができる。
【００３７】
図中５５，５６は、それぞれ、図８の４８，４９と同様の機能を発揮する傾斜面である。
【００３８】
図１０は、集積ケースを用いない例を示している。すなわち、筐体３１内における連通口３３より下側の空間が、吸殻等の落下物を通過させ、下方に別途設けられた処理部７１に導く導出部５７に設定されたものである。
【００３９】
上記処理部７１は、島に設けられた周知の吸殻処理装置であり、落下する吸殻等を搬送し、消火、回収等の適宜の処理をするものであって、煙草を受ける受け部７２が上面に開口した状態で形成されたものである。
【００４０】
つまり、図１０に示された灰皿１１は、皿部材４１部分から投入された吸殻等を上記処理部７１の受け部７２に導くものであって、筐体３１の下面に落下口５８が形成され、台間機２１から引き出した時に、落下口５８が、処理部７１の受け部７２に接続されるように構成されている。
【００４１】
このため、皿部材４１部分から投入された吸殻等の落下物は、筐体３１内の導出部５７および落下口５８を通って、処理部７１に入り、処理部７１において適宜処理される。
【００４２】
このため、清掃に際しては個々の灰皿に対して行う必要はなく、一箇所で行えるとともに、筐体３１が引き出された状態であれば、処理部７１の受け部７２も閉じられた状態となって、処理部７１からの臭いの拡散などを防止することもできる。
【００４３】
この発明の構成と、上記一形態の構成との対応において、  
この発明の皿部は、上記構成の皿部材４１に対応し、  
以下同様に、  
この発明の受け入れ部は、集積ケース５１と導出部５７に対応し、
集積部は、集積ケース５１に対応し、  
受け入れ部の上方空間は連通口３３に対応し、  
可動板は、底板４２に対応し、  
蓋板は、蓋部４２ｂに対応し、
枢着部は、枢着軸部４５に対応するも、  
この発明は、上記構成のみに限定されるものではなく、その他の形態を採用することができる。  
たとえば、灰皿は台間機とは別に設けられるもよい。この場合には、灰皿は、遊技台と遊技台との適宜位置に予め壁のように設置される。
【図面の簡単な説明】
【００４４】
【図１】灰皿付き台間機の構造を示す斜視図。
【図２】灰皿付き台間機の斜視図。
【図３】遊技ユニットの正面図。
【図４】灰皿の構造を示す断面図。
【図５】灰皿の断面図。
【図６】作用状態を示す正面図。
【図７】作用状態を示す正面図。
【図８】他の例に係る灰皿の部分断面図。
【図９】他の例に係る灰皿の部分断面図。
【図１０】他の例に係る灰皿の構造を示す一部断面正面図。
【符号の説明】
【００４５】
１１…遊技機用灰皿
２１…台間機
２３…遊技ユニット
３１…筐体
３３…連通口
４１…皿部材
４２…底板
４２ｂ…蓋部
４５…枢着軸部
５１…集積ケース
５７…導出部
【図１】
2007330502.tif 000003
【図２】
2007330502.tif 000004
【図３】
2007330502.tif 000005
【図４】
2007330502.tif 000006
【図５】
2007330502.tif 000007
【図６】
2007330502.tif 000008
【図７】
2007330502.tif 000009
【図８】
2007330502.tif 000010
【図９】
2007330502.tif 000011
【図１０】
2007330502.tif 000012